【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
操作端末と、情報蓄積装置とが接続されたシステムであって、
前記操作端末は、
前記情報蓄積装置から、前記情報蓄積装置の有する１以上の格納領域の情報を取得する取得手段と、
取得された前記１以上の格納領域の情報に基づいて、１以上の格納領域を表示する表示手段と、
前記表示手段に表示された前記１以上の格納領域のうち一の格納領域の選択を受け付ける受付手段と、
前記システムに接続される複数の電子機器のうち前記受付手段で選択を受け付けた前記一の格納領域に電子データを入力させる電子機器を、前記操作端末における操作に応じて前記操作端末の外部から前記操作端末に入力される情報に基づいて特定する特定手段と、
前記特定手段で特定された前記電子機器に当該操作端末へ電子データの入力を実行させる第１の要求を、前記特定手段で特定された前記電子機器に送信し、該第１の要求の送信に応じて特定された前記電子機器から送信される電子データを、前記情報蓄積装置の前記一の格納領域に送信する第１の送信手段と、
を有し、
前記情報蓄積装置は、
前記操作端末から送信される前記電子データを前記一の格納領域に蓄積させる蓄積手段と、
を有することを特徴とするシステム。
【請求項２】
請求項１に記載のシステムであって、
前記操作端末の取得手段は、前記情報蓄積装置から、前記情報蓄積装置の有する１以上のフォルダの情報を取得し、
前記操作端末の表示手段は、前記取得手段で取得された前記１以上のフォルダの情報に基づいて、１以上のフォルダを表示し、
前記操作端末の受付手段は、前記表示手段に表示された１以上のフォルダのうち一のフォルダの選択を受け付け、
前記操作端末の特定手段は、前記システムに接続される複数の電子機器のうちスキャナを、該スキャナを撮影して得た二次元コードから取得される情報に基づいて特定し、
前記操作端末の第１の送信手段は、特定された前記スキャナに当該操作端末へスキャンデータの入力を実行させる前記第１の要求を該スキャナに送信し、前記第１の要求の送信に応じて前記スキャナから送信されるスキャンデータを、前記情報蓄積装置の前記一のフォルダに送信し、
前記情報蓄積装置の蓄積手段は、前記操作端末から送信される前記スキャンデータを前記一のフォルダに蓄積させる
ことを特徴とするシステム。 
【請求項３】
請求項２に記載のシステムであって、
前記情報蓄積装置は、前記一の電子機器に、該一の電子機器を識別するための情報を含む二次元コードを表示させる
ことを特徴とするシステム。
【請求項４】
請求項１ないし請求項３のいずれか一項に記載のシステムであって、
前記操作端末の特定手段は、前記システムに接続される複数の電子機器のうち前記受付手段で選択を受け付けた前記一の格納領域に電子データを入力させる他の電子機器を、前記操作端末における操作に応じて前記操作端末の外部から前記操作端末に入力される情報に基づいて特定し、
前記特定手段で特定された前記他の電子機器に前記情報蓄積装置へ電子データの入力を実行させる第１の要求を、前記情報蓄積装置に対して送信し、
前記情報蓄積装置は、
前記操作端末から前記情報蓄積装置に対して送信された前記第１の要求に基づいて、前記情報蓄積装置の有する前記一の格納領域へ電子データの入力を実行させる第２の要求を前記電子機器に送信する第２の送信手段を有し、
前記情報蓄積装置の蓄積手段は、前記第２の要求に応じて前記電子機器から送信される電子データを前記一の格納領域に蓄積させる
ことを特徴とするシステム。
【請求項５】
請求項４に記載のシステムであって、
前記操作端末の第１の送信手段は、特定された前記他の電子機器に前記情報蓄積装置へ電子データの入力を実行させる第１の要求を含むファイルを、前記情報蓄積装置の他の格納領域へ送信し、
前記情報蓄積装置は、
前記他の格納領域にファイルが格納されたかを検知する検知手段を有し、
前記情報蓄積装置の第２の送信手段は、前記情報蓄積装置の検知手段でファイルが格納されたことを検知したとき、該ファイルに含まれる前記第１の要求に基づいて、前記情報蓄積装置の有する前記一の格納領域へ電子データの入力を実行させる第２の要求を前記電子機器に送信する
ことを特徴とするシステム。
【請求項６】
請求項１ないし請求項５のいずれか一項に記載のシステムであって、
前記情報蓄積装置の蓄積手段は、前記一の格納領域に格納された電子データに対して実行する処理を関連付けて記憶し、
前記情報蓄積装置は更に、
前記一の格納領域に蓄積された前記電子データに対して、該一の格納領域に関連付けて記憶された処理を実行する処理実行手段を有する
ことを特徴とするシステム。
【請求項７】
操作端末と、情報蓄積装置とが接続されたシステムであって、
前記操作端末は、
前記情報蓄積装置から、前記情報蓄積装置の有する１以上の格納領域の情報を取得する取得手段と、
取得された前記１以上の格納領域の情報に基づいて、１以上の格納領域を表示する表示手段と、
前記表示手段に表示された前記１以上の格納領域のうち一の格納領域の選択を受け付ける受付手段と、
前記システムに接続される複数の電子機器のうち前記受付手段で選択を受け付けた前記一の格納領域に電子データを入力させる電子機器を、前記操作端末における操作に応じて前記操作端末の外部から前記操作端末に入力される情報に基づいて特定する特定手段と、
前記特定手段で特定された前記電子機器に当該操作端末へ電子データの入力を実行させる第１の要求を、前記特定手段で特定された前記電子機器に送信し、該第１の要求の送信に応じて特定された前記電子機器から送信される電子データを、前記情報蓄積装置の前記一の格納領域に送信する第１の送信手段と、
を有するシステム。
【請求項８】
情報蓄積装置と接続された操作端末が実行可能なプログラムを記憶する記憶媒体であって、
前記情報蓄積装置から、前記情報蓄積装置の有する１以上の格納領域の情報を取得するステップと、
取得された前記１以上の格納領域の情報に基づいて、１以上の格納領域を表示するステップと、
表示された前記１以上の格納領域のうち一の格納領域の選択を受け付けるステップと、
前記操作端末と前記情報蓄積装置とが接続されたシステムに接続される複数の電子機器のうち前記選択を受け付けた前記一の格納領域に電子データを入力させる電子機器を、前記操作端末における操作に応じて前記操作端末の外部から前記操作端末に入力される情報に基づいて特定するステップと、
特定された前記電子機器に当該操作端末へ電子データの入力を実行させる第１の要求を、特定された前記電子機器に送信し、該第１の要求の送信に応じて特定された前記電子機器から送信される電子データを、前記情報蓄積装置の前記一の格納領域に送信するステップと、
を前記操作端末に実行させるためのプログラムを記憶する記憶媒体。
【手続補正２】
【補正対象書類名】明細書
【補正対象項目名】発明の名称
【補正方法】変更
【補正の内容】
【発明の名称】システム及び記憶媒体
【手続補正３】
【補正対象書類名】明細書
【補正対象項目名】０００１
【補正方法】変更
【補正の内容】
【０００１】
本発明は、システム及び記憶媒体に関する。
【手続補正４】
【補正対象書類名】明細書
【補正対象項目名】０００５
【補正方法】変更
【補正の内容】
【０００５】
本発明の一実施形態は、上記の点に鑑みなされたもので、連携してサービスを提供することができるシステム及び記憶媒体を提供することを目的とする。
【手続補正５】
【補正対象書類名】明細書
【補正対象項目名】０００６
【補正方法】変更
【補正の内容】
【０００６】
上記目的を達成するため、本願請求項１は、操作端末と、情報蓄積装置とが接続されたシステムであって、前記操作端末は、前記情報蓄積装置から、前記情報蓄積装置の有する１以上の格納領域の情報を取得する取得手段と、取得された前記１以上の格納領域の情報に基づいて、１以上の格納領域を表示する表示手段と、前記表示手段に表示された前記１以上の格納領域のうち一の格納領域の選択を受け付ける受付手段と、前記システムに接続される複数の電子機器のうち前記受付手段で選択を受け付けた前記一の格納領域に電子データを入力させる電子機器を、前記操作端末における操作に応じて前記操作端末の外部から前記操作端末に入力される情報に基づいて特定する特定手段と、前記特定手段で特定された前記電子機器に当該操作端末へ電子データの入力を実行させる第１の要求を、前記特定手段で特定された前記電子機器に送信し、該第１の要求の送信に応じて特定された前記電子機器から送信される電子データを、前記情報蓄積装置の前記一の格納領域に送信する第１の送信手段と、を有し、前記情報蓄積装置は、前記操作端末から送信される前記電子データを前記一の格納領域に蓄積させる蓄積手段と、を有することを特徴とする。
【手続補正６】
【補正対象書類名】明細書
【補正対象項目名】０００７
【補正方法】変更
【補正の内容】
【０００７】
本発明の一実施形態によれば、連携してサービスを提供することができるシステム及び記憶媒体を提供可能である。